(57)【要約】【課題】  回線を共用する、外付け電話機などの他の通信装置から当該回線に出力されるダイヤルパルスを、半導体ＮＣＵにおいて得られる回線電圧値に基づいて容易にかつ正確に検出することができる通信装置を提供すること。【解決手段】  前記レジスタに記憶されている回線電圧値を信号出力に変換する回線電圧出力手段と、しきい電圧を記憶するしきい電圧記憶手段と、前記回線電圧出力手段からの出力と、前記しきい電圧とを比較して比較結果を出力する電圧比較手段と、その電圧比較手段からの出力によりダイヤルパルスを検出するダイヤルパルス検出手段とを備えたことを特徴とする。【選択図】    図４
2005086213.tif 000002
【特許請求の範囲】
【請求項１】
回線に接続されると共にその回線からの給電により動作し各種網制御動作を行う１次側回線制御部と、その１次側回線制御部との間で、網制御に係るデータや信号などをやりとりする２次側インターフェース部とを構成として含む半導体網制御手段を備える一方、前記２次側インターフェース部は、現在の回線電圧値を所定のレジスタに保持するものである通信装置において、
前記レジスタに記憶されている回線電圧値を信号出力に変換する回線電圧出力手段と、
しきい電圧を記憶するしきい電圧記憶手段と、
前記回線電圧出力手段からの出力と、前記しきい電圧とを比較して比較結果を出力する電圧比較手段と、
その電圧比較手段からの出力によりダイヤルパルスを検出するダイヤルパルス検出手段とを備えたことを特徴とする通信装置。
【請求項２】
前記しきい電圧記憶手段に記憶されたしきい電圧を設定変更するしきい電圧変更手段を更に備えたことを特徴とする請求項１に記載の通信装置。
【請求項３】
前記レジスタが保持する、前記回線が閉結状態にある現在の回線電圧値に基づいて前記しきい電圧を算出するしきい電圧算出手段と、
そのしきい電圧算出手段により算出された電圧を、前記しきい電圧記憶手段に設定記憶するしきい電圧自動更新手段とを備えたことを特徴とする請求項１に記載の通信装置。
【発明の詳細な説明】
【技術分野】
【０００１】
本発明は、ファクシミリ装置などの通信装置に関し、特に、回線に接続されると共にその回線からの給電により動作し各種網制御動作を行う１次側回線制御部と、その１次側回線制御部との間で、網制御に係るデータや信号などをやりとりする２次側インターフェース部とを構成として含む半導体網制御手段を備える一方、前記２次側インターフェース部は、現在の回線電圧値を所定のレジスタに保持するものである通信装置に関する。
【背景技術】
【０００２】
公衆電話網などのアナログ回線を介して通信を行うファクシミリ装置などの通信装置においては、回線からの着呼検出、発呼処理・状態検出等の網制御機能や、回線と授受するアナログ信号を、送信・受信する機能を担う網制御装置（ＮＣＵ）を備える。
【０００３】
一方、ファクシミリ装置などの通信装置においては、いわゆるリモート切替機能を備えるものがある。
【０００４】
例えば、通信装置としてのファクシミリ装置と、他の通信装置としての外付け電話機とが１つの回線を共用している状態において、着呼した場合、外付けの電話機が、着呼に伴う呼出信号により呼出音を鳴動させる。その鳴動に応答したユーザが外付け電話機のハンドセットをオフフックすると回線がオフフック（閉結）状態になる。その状態で回線からファクシミリ装置からの着呼であることを示す１１００Ｈｚの発呼トーンＣＮＧが到来したとすると、本来応答すべきなのはファクシミリ装置であるということになり、着呼した通信に応答する権利を、外付け電話機からファクシミリ装置に移譲する必要がある。そのための機能がリモート切替機能である。
【０００５】
具体的には、ファクシミリ装置において予め設定した番号（例えば「５」）に対応するダイヤルパルスを、外付け電話機からファクシミリ装置に対して共用の回線を介して送出する（ユーザが番号「５」のキーを押す）。ファクシミリ装置側では、回線上のダイヤルパルスを検出して番号「５」に対応するものである場合に着呼中のファクシミリ通信を外付け電話機から引き継いでファクシミリ受信を開始する。
【０００６】
ダイヤルパルスは本来、回線側の加入者交換機やＰＢＸなど検出するものであるが、上記したように、通信装置がダイヤルパルスを正しく検出する必要がある場合がある。
【０００７】
一方、回線の接続制御を行うＮＣＵ（網制御装置）として、従来は大型のトランスや個別分品により構成され大型であったものを、主に集積化された半導体で構成され、ＳｉＤＡＡ（シリコンＤＡＡ（Data Access Arrangement）などと称される半導体ＮＣＵに置き換えることで、小型化、低コスト化が図られるようになってきていている。
【０００８】
しかし、現状の半導体ＮＣＵには、不完全な部分もあり、実際各種改良の提案がなされている（例えば特許文献１参照）。
【特許文献１】特開２００２−１７１３６０号公報
【発明の開示】
【発明が解決しようとする課題】
【０００９】
半導体ＮＣＵ以前の従来のＮＣＵにおいては、回線の開放または閉結の状態を、回線の電流により発光ダイオード側が駆動される、個別部品のフォトカプラなどにより検出していたが、電流による検出は、半導体ＮＣＵにはなじまないため、半導体ＮＣＵにおける回線の開放／閉結状態の検出は、回線電圧の監視により行われる。
【００１０】
ダイヤルパルスの回線への送出は、１０ｐｐｓや２０ｐｐｓなどの連続的な回線の閉結／開放により行われる。そのため、ダイヤルパルスを検出してリモート切替などの処理を行う装置本体側においては、半導体ＮＣＵから得られる回線電圧の連続的な読み出し及び基準となるしきい電圧との比較を行ってダイヤルパルスを検出する必要がある。
【００１１】
一方で、半導体ＮＣＵにおいて得られる情報を装置本体側のメインの制御部が取得する場合、通常、半導体ＮＣＵを介して回線とやりとりされる送受信信号を変復調するモデムとしての動作を担うＤＳＰを経由して行われる。
【００１２】
回線電圧の単なるチェック程度であれば、ＤＳＰ経由の半導体ＮＣＵからの回線電圧の読み出しても対応できるが、リモート切替機能などのために回線上のダイヤルパルスを検出する必要がある場合には、比較的高速で多数回断続される回線の電圧変化を検出する必要があるため、ＤＳＰ経由での読み出しではそのためのやりとりが煩雑で、装置本体側のメインの制御部における処理負担が大きいという問題点があった。
【００１３】
また、回線電圧の検出によるダイヤルパルスの検出では、回線側の交換機から供給される直流電圧（日本の公衆電話網では約４８Ｖ）、その交換機からの距離（加入者回線の線路の長さ）、外付け電話機などの他の通信装置における回線閉結時の内部抵抗などの装置の設置条件により、回線を共有する外付け電話機などの他通信装置がオフフック時に、通信装置が検出する当該回線の電圧が変動するため、検出精度が高くないという問題点があった。
【００１４】
本発明は係る事情に鑑みてなされたものであり、回線を共用する、外付け電話機などの他の通信装置から当該回線に出力されるダイヤルパルスを、半導体ＮＣＵにおいて得られる回線電圧値に基づいて容易にかつ正確に検出して所定の動作を行うことができる通信装置を提供することを目的とする。
【課題を解決するための手段】
【００１５】
請求項１に記載の通信装置は、回線に接続されると共にその回線からの給電により動作し各種網制御動作を行う１次側回線制御部と、その１次側回線制御部との間で、網制御に係るデータや信号などをやりとりする２次側インターフェース部とを構成として含む半導体網制御手段を備える一方、前記２次側インターフェース部は、現在の回線電圧値を所定のレジスタに保持するものである通信装置において、前記レジスタに記憶されている回線電圧値を信号出力に変換する回線電圧出力手段と、しきい電圧を記憶するしきい電圧記憶手段と、前記回線電圧出力手段からの出力と、前記しきい電圧とを比較して比較結果を出力する電圧比較手段と、その電圧比較手段からの出力によりダイヤルパルスを検出するダイヤルパルス検出手段とを備えたことを特徴とする。
【００１６】
請求項２に記載の通信装置は、請求項１に記載の通信装置において、前記しきい電圧記憶手段に記憶されたしきい電圧を設定変更するしきい電圧変更手段を更に備えたことを特徴とする。
【００１７】
請求項３に記載の通信装置は、請求項１に記載の通信装置において、前記レジスタが保持する、前記回線が閉結状態にある現在の回線電圧値に基づいて前記しきい電圧を算出するしきい電圧算出手段と、そのしきい電圧算出手段により算出された電圧を、前記しきい電圧記憶手段に設定記憶するしきい電圧自動更新手段とを備えたことを特徴とする。
【発明の効果】
【００１８】
請求項１に係る発明によれば、回線電流の監視ではなく、半導体ＮＣＵの２次側インターフェース部がレジスタに保持している現在の回線電圧値に基づいて処理負担少なく容易に検出して、リモート切替機能などの所定の動作を行うことが可能となる効果が得られる。
【００１９】
請求項２に係る発明によれば、前記しきい電圧を装置の設置状況に適合するように最適に変更することができるため、ダイヤルパルスの検出を精度よく行え、リモート切替機能などの所定の動作を確実に行うことが可能となる効果が得られる。
【００２０】
請求項３に係る発明によれば、前記しきい電圧を、閉結状態にある実際の回線の電圧に基づいて自動的に算出・設定することができるため、面倒な設定操作なしに、装置の設置状況に適応して、確実なダイヤルパルスの検出を行うことが可能となる効果が得られる。
【発明を実施するための最良の形態】
【００２１】
以下、添付図面を参照しながら、本発明を実施するための最良の形態について説明する。
【００２２】
先ず、図１に、本発明を実施するための最良の形態に係る通信装置としてのファクシミリ装置１のブロック構成について示すである。
【００２３】
同図において、ＣＰＵ２は、ＲＯＭ３に書き込まれた制御プログラムに従って、ＲＡＭ４を作業領域として使用しながら、装置各部を制御するマイクロコンピュータである。
【００２４】
ＲＯＭ３は、前述したように、ＣＰＵ２が装置各部を制御するための制御プログラムやデータが記憶されているリードオンリメモリである。
【００２５】
ＲＡＭ４は、前述したようにＣＰＵ２の作業領域として使用されるランダムアクセスメモリである。
【００２６】
操作表示部５は、ユーザによる各種操作入力を受け入れたり、装置の動作状態や、各種メッセージを表示するものである。
【００２７】
スキャナ５は、３．８５本／ｍｍ、７．７本／ｍｍ、１５．４本／ｍｍ等の所定の読み取り線密度で原稿画像を読み取って、送信画情報などの画情報を得るためのものである。プロッタ６は、受信画情報などの画情報を、記録出力するためのものである。
【００２８】
パラメータメモリ８は、装置動作に必要な各種情報が記憶されると共に、装置の電源がオフされた状態でもその記憶内容を保持するメモリであり、具体的には、ＥＥＰＲＯＭ（電気的に書き換え可能な読み出し専用メモリ）や、バッテリバックアップされたＳＲＡＭ（スタティックＲＡＭ）などにより構成されるものである。
【００２９】
タイマ制御部９は、タイマ動作を制御するものであり、ＣＰＵ２から設定された時定数を設定されたタイマをカウントダウンし、タイマがタイムアウトするとＣＰＵ２にその旨システムバス１４を介して通知して、時定数で設定された時間の経過を計時するものである。
【００３０】
符号化復号化部１０は、送信画情報を、ファクシミリに適合する、ＭＨ符号化方式、ＭＲ符号化方式、ＭＭＲ符号化方式等の所定の符号化方式で符号化圧縮する一方、受信画情報をＭＨ符号化方式、ＭＲ符号化方式、ＭＭＲ符号化方式等に対応する所定の復号化方式で復号伸長するものである。
【００３１】
ＮＣＵインターフェース部１１は、半導体ＮＣＵ１３とＣＰＵ２とがモデム（ＤＳＰ）１２を介さずに情報をやりするためのインターフェースであると共に付加的な回路を含む（詳細後述）。
【００３２】
モデム１２は、ＤＳＰにより構成され、ＣＰＵ２から渡された制御信号や画像データの変調及び変調信号からの制御データや画像データの復調を行うファクシミリモデムである。
【００３３】
モデム（ＤＳＰ）１２は、具体的には、ＩＴＵ−Ｔ勧告Ｔ．３０に基づくＧ３ファクシミリ制御信号をやりとりするための低速モデム機能能（Ｖ．２１モデム）、及び、主に画像データをやりとりするための高速モデム機能である、Ｖ．１７、Ｖ．３３、Ｖ．３４、Ｖ．２９、Ｖ．２７ｔｅｒの各モデム機能を備えている。また、モデム（ＤＳＰ）１２は、宛先電話番号に対応したＤＴＭＦ信号の生成・送出も行う。
【００３４】
半導体網制御手段としての半導体ＮＣＵ（シリコンＤＡＡ）１３は、アナログの回線２０、具体的には、公衆電話網の加入者交換機や構内交換装置（ＰＢＸ）との電気的インターフェースであり、回線２０の、直流ループの閉結・解放や、回線の極性反転の検出、回線解放の検出、発信音の検出、ビジートーン等のトーン信号の検出、呼出信号の検出等の回線との接続制御や、ダイヤルパルスの生成を行うものであり、また、自動発着信機能も備えている。
【００３５】
システムバス１４は、上記各部がデータをやり取りするための、データバス、アドレスバス、制御バス、Ｉ／Ｏバス、割り込み信号ライン等から構成される、信号ラインである。
【００３６】
なお、半導体ＮＣＵ１３が接続される回線２０には、他の通信装置としての外付け電話機５０も接続されていて、回線２０をファクシミリ装置１と外付け電話機５０とが共用する形態となっている。
【００３７】
図２に、ファクシミリ装置１のパラメータメモリ８の本発明と関連する記憶内容について示す。
【００３８】
同図において、記憶領域８ａには、リモート切替番号が予め設定・記憶されていて、現在の設定では、番号「５」がリモート切替番号として設定されている。このリモート切替番号は、操作表示部５からの操作入力により更新設定可能なものである。
【００３９】
また、記憶領域８ｂには、ＤＰ（ダイヤルパルス）検出しきい電圧Ｖthが予め設定・記憶されている。記憶領域８ｂは、しきい電圧記憶手段に相当する。
【００４０】
図３に、番号「５」に対応するダイヤルパルスの回線電圧波形について示す。
【００４１】
外付け電話機５０がオフフックして回線２０が閉結状態となると、回線２０側の加入者交換機やＰＢＸから供給される例えば４８Ｖの直流電圧は、外付け電話機５０内のオン／オフフック回路により短絡される。
【００４２】
その場合、回線２０の半導体ＮＣＵ１３との接続点での電圧は、加入者交換機やＰＢＸの内部抵抗、回線２０の線路抵抗、外付け電話機５０のオフフック状態での抵抗などの関係で決まる電圧、つまり、ダイヤルパルス的にいえばメーク電圧Ｖｍとなる。
【００４３】
そのＶｍは、０Ｖに近いが０Ｖにはならない。
【００４４】
外付け電話機５０がオフフックして回線２０が閉結状態となり、半導体ＮＣＵ１３において検出される回線電圧がＶｍになった状態で、外付け電話機５０において、ユーザが番号「５」のキーを押下して、その押下に伴って、番号「５」に対応するダイヤルパルスが回線２０に接続されると、ブレーク期間ｔｂだけ回線２０が開放状態となり、半導体ＮＣＵ１３において検出される回線電圧がＶｂ（加入者交換機などから供給される直流電圧とほぼ等しい）となり、続いてメイク期間ｔｍだけ回線２０が閉結状態となり、半導体ＮＣＵ１３において検出される回線電圧がＶｍとなることが５回繰り返される。
【００４５】
この５つのパルスを計数する方法としては、回線２０の検出電圧がしきい電圧Ｖthを横切る回数の計測により行うことができる。また、ダイヤルパルスの波形には、例えばメーク率が約３３％で、１０ＰＰＳ、２０ＰＰＳなどの周期の制限もあるため、それらの検出条件を付加して検出精度を高めることができる。
【００４６】
その場合Ｖthは、実際に検出されるＶｂと、Ｖｍとの間、理想的にはちょうど中央、実際的には、Ｖｍよりも十分高い電圧に設定する必要がある。
【００４７】
図４に、本発明を実施するための最良の形態に係る半導体ＮＣＵ１３などについて示す。
【００４８】
半導体ＮＣＵ１３は、１次側回線制御部１３１、Ｉ／Ｆ回路１３２、及び、２次側Ｉ／Ｆ部１３３により構成されている。
【００４９】
１次側回線制御部１３１には、回線２０がダイオードブリッジＤＢと切断手段１３ａを介して接続される。１次側回線制御部１３１には、極性不定の回線２０からの直流電圧がＤＢにより特定の極性に固定されて入力されると共に、その直流電圧に重畳した交流の通信信号が入力される。
【００５０】
制御部１３１は、回線２０からの直流電圧を電源として動作する（局給電）。制御部１３１は、回線２０の、直流ループの閉結・解放や、回線の極性反転の検出、発信音の検出、ビジートーン等のトーン信号の検出、呼出信号の検出等の回線との接続制御や、ダイヤルパルスの生成などのＮＣＵとしてを行う通常の動作を行う。また回線２０の直流電圧の測定も行う。
【００５１】
Ｉ／Ｆ回路１３２は、１次側回線制御部１３１と、２次側インターフェース部との間のデータや信号を絶縁してやりとりするためもので、絶縁は、具体的には、パルストランス、リニアカプラ、コンデンサ、フォトカプラなどにより行われる。
【００５２】
２次側Ｉ／Ｆ部１３３は、制御部１３１における測定結果や測定値をＩ／Ｆ回路１３２を介して受け取りレジスタの値として保持し回線２０の状態を外部から参照可能とする一方、ＤＳＰ１２からの送受信信号をＩ／Ｆ部１３２を介して制御部１３１に中継する。
【００５３】
２次側Ｉ／Ｆ部１３３のレジスタに保持された回線状態を示す各種値は、ＣＰＵ２がシステムバス１４を介してモデム（ＤＳＰ）１２にアクセスし、モデム（ＤＳＰ）１２に２次側Ｉ／Ｆ部１３３のレジスタを読み出してもらって値を取得することにより行われるのが一般的である。
【００５４】
回線電圧値保持レジスタ１３４は、１次側回線制御部１３１により測定され、Ｉ／Ｆ回路１３２を介して通知された回線２０の現在の電圧値が保持される一方、随時更新されていて、レジスタ１３４を読み出して得られる値は、現在の回線２０の電圧を反映したものとなる。
【００５５】
しかし、回線電圧値保持レジスタ１３４をモデム（ＤＳＰ）１２を介して読み出すのでは、ダイヤルパルスのように比較的に高速で連続変化する回線電圧を検出する場合に、読み出しの処理負担が大きい。
【００５６】
そこで、本発明を実施するための最良の形態では、ＣＰＵ２によるダイヤルパルスの検出をモデム（ＤＳＰ）１２を介さないで行えるようにする。
【００５７】
つまり、２次側Ｉ／Ｆ部１３３に、回線電圧値保持レジスタ１３４に保持された値、つまり、回線２０の現在の電圧をアナログの電圧信号に変換する、回線電圧出力手段としてのＤ／Ａ変換器１３５を設ける。
【００５８】
一方、ＮＣＵＩ／Ｆ部１１を図に示すように構成する。
【００５９】
つまり、Ｉ／Ｏポート１１２を設ける。Ｉ／Ｏポート１１２は、多数の入出力ポートにより構成され、入力ポートをシステムバス１４を介して読み出すことにより、ＣＰＵ２は、所定の入力信号の状態を知ることができ、システムバス１４を介して所定の出力ポートにデータを出力することで、所定の出力信号の状態を変化させることができる。
【００６０】
Ｉ／Ｏポート１１２の一部としての出力ポート１１２ａには、しきい電圧値Ｖthがシステムバス１４を介してＣＰＵ２により設定される。そのしきい電圧値Ｖthは、パラメータメモリの記憶領域８ｂに設定記憶されているものである。
【００６１】
その出力ポート１１２ａのしきい電圧値Ｖthは、Ｄ／Ａ変換器１１１によりアナログの電圧信号に変化され、電圧比較手段としてのアナログコンパレータＣａの反転入力端子に入力される。
【００６２】
一方、アナログコンパレータＣａの非反転入力端子には、Ｄ／Ａ変換器１３５からのアナログ出力電圧が入力される。
【００６３】
アナログコンパレータＣａは、非反転入力端子の信号レベルが反転入力端子の信号レベルよりも大きいときに「１」、等しいが小さいときに「０」を、検出信号Ｓdetとして出力するものであり、検出信号Ｓdetは、Ｉ／Ｏポート１１２の所定の入力ポートの所定のビットに入力され、装置本体側のメインの制御部としてのＣＰＵ２は、その所定のビットを読み出すことで、ダイヤルパルスの検出を処理負担少なく行うことができる。
【００６４】
ＣＰＵ２がＳdetによりダイヤルパルスを検出する図４とは別の形態について図５に示す。
【００６５】
同図において、図４に示した構成と異なる点は、Ｄ／Ａ変換器１３５に代えて、回線電圧出力手段としてのバッファ回路１３６が配置されている点と、アナログコンパレータＣａに代えて、電圧比較手段としてのデジタルコンパレータＣｄが配置されている点である。
【００６６】
出力ポート１１２ａのしきい電圧値Ｖthは、デジタルコンパレータＣｄのＢ入力に直接入力される。
【００６７】
一方、デジタルコンパレータＣｄのＡ入力には、バッファ回路１３６の出力、つまりは、回線電圧保持レジスタ１３４が保持する値が入力される。
【００６８】
デジタルコンパレータＣｄは、入力Ａの値が入力Ｂの値よりも大きいときに「１」、等しいが小さいときに「０」を、検出信号Ｓdetとして出力するものであり、検出信号Ｓdetは、Ｉ／Ｏポート１１２の所定の入力ポートの所定のビットに入力され、装置本体側のメインの制御部としてのＣＰＵ２は、その所定のビットを読み出すことで、ダイヤルパルスの検出を処理負担少なく行うことができる。なお、バッファ１３６の出力をＩ／Ｏポート１１２の所定の入力ポートに入力し、ＣＰＵ２がパラメータメモリ８の記憶領域８ｂから読み出したしきい電圧Ｖthとソフトウェア的に比較することで、検出信号Ｓdetの検出と同等の結果が得られるが、その分処理負担ま増すことになる。
【００６９】
図６に、ファクシミリ装置１おけるリモート切替処理手順について示す。この処理手順は、ダイヤルパルス検出手段としての処理を含む。
【００７０】
同図に示すリモート切替処理手順は、回線２０からの着呼にファクシミリ装置１が応答する前に、外付け電話機５０がオフフックした場合行われるものであり、ＣＰＵ２は、Ｓdetが０かを判断し（判断Ｓ１０１）、０でない（１である）場合には（判断Ｓ１０１のＮｏ）、回線２０がオンフックされた状態、つまり、外付け電話機５０がオンフックした状態でリモート切替処理が適用できないため処理終了する。
【００７１】
判断Ｓ１０１において、Ｓdetが０で、回線２０がオフフックされた状態の場合には（判断Ｓ１０１のＹｅｓ）、ダイヤルパルスを計数する処理を（処理Ｓ１０２）、一定時間以上Ｓdetが１（オンフック）の状態が継続せず、また、一定時間以上Ｓdetが０（オフフック）の状態が継続しない間行う（判断Ｓ１０３のＮｏ、判断Ｓ１０４のＮｏのループ）。処理Ｓ１０２のダイヤルパルス計数処理は、ダイヤルパルスとして許される時間条件の範囲内で、Ｓdetの間１から値０に変化する回数の計数により行う。また処理Ｓ１０２のダイヤルパルス計数処理では、図２のパラメータメモリ８の記憶領域８ｂに記憶されたしきい電圧Ｖthが、図４または図５に示したＩ／Ｏポート１１２の出力ポート１１２ａに設定される。
【００７２】
判断１０３がＹｅｓとなった場合、つまり、外付け電話機５０がリモート切替のための番号（この場合「５」）を押下してダイヤルパルスを出力することなくオンフックしてしまった場合には、ユーザのオンフック操作を尊重して、ファクシミリ装置１は着信した通信を引き継ぐことなく、処理を終了する。
【００７３】
判断１０４がＹｅｓとなった場合、つまり、図３に示したように短時間に連側的に回線２０にダイヤルパルスが出力された後、または、ダイヤルパルスが出力される前に、オフフック状態（ダイヤルパルスのメーク状態）が一定時間以上継続した場合には、処理Ｓ１０２により計数されたパルス数を図２の記憶領域８ａに予め設定された設定値（この場合「５」）と比較し（処理Ｓ１０５）、一致しない場合には（判断Ｓ１０６のＮｏ）、処理Ｓ１０２に戻る。なお、判断１０６のＮｏは、ダイヤルパルスが１つも検出されない（外付け電話機５０からダイヤルパルスがまだ送出されていない）場合を含む。
【００７４】
判断Ｓ１０６において、一致した場合には（判断Ｓ１０６のＹｅｓ）、つまり、回線２０からの着呼に外付け電話機５０をオフフックして応答したユーザが１１００Ｈｚの発呼トーンＣＮＧを聞いて、今回の着呼が電話通話ではなく、ファクシミリ通信に係る着呼であることを知って、ファクシミリ装置１においてリモート切替の番号として予め設定してある「５」のキーを押下してそれに応じて外付け電話機５０から「５」に対応するダイヤルパルスが送出された場合には、回線２０を自装置側に切り替えて着信したファクシミリ通信を引き継ぐ（処理Ｓ１０７）。引き継いだあと、モデム（ＤＳＰ）１２による変復調をおこないつつファクシミリ通信を行う。
【００７５】
図２に示したようにパラメータメモリ８の記憶領域８ｂに記憶されたダイヤルパルス検出しきい電圧Ｖthは、ダイヤルパルスの検出の基準となるため、最適な値が設定されるべきであるが、前述したように、ダイヤルパルスのメーク時の電圧Ｖｍ（図３参照）は、ファクシミリ装置１の実際の回線２０への接続状況や、回線２０をファクシミリ装置１と共用する他の通信装置としてどうのような装置が接続されるかなどの、装置の設置環境により変動するため、装置の出荷前にＶthとして固定的な値を設定したのでは、各装置の設置環境の違いに柔軟な対応できず、精度のよいダイヤルパルスの検出ができない。
【００７６】
そこで、ファクシミリ装置１は、図７に示すしきい電圧変更処理、または、図８に示す、しきい電圧自動設定処理を行う。
【００７７】
まず、しきい電圧変更手段に相当する、図７に示すしきい電圧変更処理では、操作表示部５から、しきい電圧変更モードを起動する所定の操作入力の有無を確認し、監視し（処理Ｓ２０１、判断２０２のＮｏのループ）、操作があった場合には（判断Ｓ２０２のＹｅｓ）、操作表示部５を介して入力されるしきい電圧値（例えば２０Ｖ）をＲＡＭ４に一時的に記憶する、しきい電圧入力処理を行い（処理Ｓ２０３）、その入力されたしきい電圧を、図２のパラメータメモリ８の記憶領域８ｂに新たなしきい電圧として更新記憶する（処理Ｓ２０４）。
【００７８】
これにより、ファクシミリ装置１の実際の設置環境に応じた最適な電圧値がしきい電圧Ｖthとして、サービスマンなどの手で設定され、以後、精度の高いダイヤルパルスの検出が可能となる。
【００７９】
しきい電圧自動更新手段に相当する、図８に示すしきい電圧自動設定処理では、回線２０がオフフック状態になるまで待ち（判断Ｓ３０１のＮｏのループ）、回線２０がオフフック状態となると（判断Ｓ３０１のＹｅｓ）、図４または図５に示した回線電圧値保持レジスタ１３４をモデム（ＤＳＰ）１２を介して読み出して（処理Ｓ３０２）、その読み出した値に基づいてしきい電圧値Ｖthを算出して、図２のパラメータメモリ８の記憶領域８ｂに新たなしきい電圧として設定記憶する（処理Ｓ３０３）。
【００８０】
判断Ｓ３０１での回線がオフフックされたか否かの判断は、図３に示したように、開放電圧で、装置の設置状況の影響を受けにくいブレーク（オンフック）電圧Ｖｂから一定レベル（例えば１０Ｖ）低下した場合をオフフック状態と判断するようにしてもよいし、または、操作表示部５に「外付け電話機をオフフックして下さい」などのメッセージを表示した上で、外付け電話機をオフフックしたことを示すための所定のキー操作があったことをもって、オフフック状態と判断するようにしてもよい。
【００８１】
判断Ｓ３０２でのレジスタ１３４の読み出しは、Ｉ／Ｏポート１１２にそれ用の入力ポートを確保して、その入力ポート経由で読み出すようにしてもよいが、ダイヤルパルスの検出の場合とちがって、多数回連続して読み出すことはないため、ＣＰＵ２の処理負担は少なく、モデム（ＤＳＰ）１２経由の読み出しであってもよい。
【００８２】
処理Ｓ３０３でのしきい電圧値Ｖthの算出は、定性的には、図３に示すように、メーク（オフフック）電圧Ｖｍよりずっと高い電圧でかつブレーク（オンフック）電圧Ｖｂよりもずっと低い電圧であればよく、具体的には、Ｖthは、Ｖｂの数倍（例えば２倍または３倍）というような、簡単な演算でも十分ダイヤルパルスの検出精度を保てる。
【００８３】
これにより、ファクシミリ装置１の実際の設置環境に応じた最適な電圧値が自動的に算出・設定され、以後、精度の高いダイヤルパルスの検出が可能となる。
【００８４】
なお、以上説明した本発明を実施するための最良の形態においては、本発明を、通信装置の１つであるファクシミリ装置に適用したが本発明はそれに限らず、半導体ＮＣＵ（シリコンＤＡＡ）を備え、回線上のダイヤルパルスを検出してリモート切替などの所定の動作を行う通信装置であれば、同様に適用できるものであることはいうまでもない。
【図面の簡単な説明】
【００８５】
【図１】本発明を実施するための最良の形態に係る通信装置としてのファクシミリ装置のブロック構成について示すである。
【図２】本発明を実施するための最良の形態に係るファクシミリ装置のパラメータメモリの記憶内容について示す図である。
【図３】番号「５」に対応するダイヤルパルスの回線電圧波形について示す図である。
【図４】本発明を実施するための最良の形態に係るファクシミリ装置の半導体ＮＣＵなどについて示す図である。
【図５】本発明を実施するための最良の形態に係るファクシミリ装置の半導体ＮＣＵなどについて示す図４とは別の図である。
【図６】本発明を実施するための最良の形態に係るファクシミリ装置におけるリモート切替処理手順について示すフローチャートである。
【図７】本発明を実施するための最良の形態に係るファクシミリ装置におけるしきい電圧変更処理手順について示すフローチャートである。
【図８】本発明を実施するための最良の形態に係るファクシミリ装置におけるしきい電圧自動設定処理手順について示すフローチャートである。
【符号の説明】
【００８６】
１  ファクシミリ装置
２  ＣＰＵ
３  ＲＯＭ
４  ＲＡＭ
５  操作表示部
６  スキャナ
７  プロッタ
８  パラメータメモリ
９  タイマ制御部
１０  符号化復号化部
１１  ＮＣＵインターフェース部
１２  モデム（ＤＳＰ）
１３  半導体ＮＣＵ
１４  システムバス
２０  回線
５０  外付け電話機
【図１】
2005086213.tif 000003
【図２】
2005086213.tif 000004
【図３】
2005086213.tif 000005
【図４】
2005086213.tif 000006
【図５】
2005086213.tif 000007
【図６】
2005086213.tif 000008
【図７】
2005086213.tif 000009
【図８】
2005086213.tif 000010